【手続補正書】
【提出日】平成25年1月21日(2013.1.21)
【手続補正１】
【補正対象書類名】明細書
【補正対象項目名】００２４
【補正方法】変更
【補正の内容】
【００２４】
ボトム信号検出回路１０４は、ライン−ブロック選択回路１０３で選択されたブロック対の画素信号のうち、最小信号（ボトム信号）を検出する。ピーク信号検出回路１０５は、ライン−ブロック選択回路１０３で選択されたブロック対の画素信号のうち、最大信号（ピーク信号）を検出する。蓄積停止判定回路１０６は、検出されたピーク信号とボトム信号に基づいて、そのブロック対の画素信号のレベルが焦点検出に適したレベルにあるかを判断することで蓄積停止タイミングを判定して、ライン−ブロック選択回路１０３に判定結果を送る。ここでは、例えば、ピーク信号とボトム信号の差が予め設定された値よりも大きい場合や、ボトム信号が共に予め設定された値を超えた場合に、蓄積停止と判断する。
【手続補正２】
【補正対象書類名】明細書
【補正対象項目名】００４２
【補正方法】変更
【補正の内容】
【００４２】
Ｓ１１５では、ＡＦセンサ１０１から完了信号を受信したＣＰＵ１００は、各ブロックの画素信号の読み出し動作を行う。ここでは、ＣＰＵ１００はＡＦセンサ１０１を制御して、第１フレームメモリ１０７ａ及び１０７ｂと第２フレームメモリ１０８ａ及び１０８ｂに記憶されている画素信号を順次出力させ、ＣＰＵ１００内の不図示のＡ／Ｄ変換器で画素信号をＡ／Ｄ変換していく。Ａ／Ｄ変換された画素信号は、記憶回路２０９に記憶する。
【手続補正３】
【補正対象書類名】明細書
【補正対象項目名】００８５
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
撮影レンズの異なる射出瞳領域を通過した被写体からの一対の光束の位相差に基づいて前記撮影レンズの焦点状態を検出する焦点検出装置であって、
前記被写体からの一対の光束を、少なくとも１対のラインセンサによりそれぞれ光電変換して、電気信号を出力する光電変換手段と、
予め設定された複数の測距点のいずれかを選択する選択手段と、
前記少なくとも１対のラインセンサを、複数の異なる分割パターンで、前記複数の測距点にそれぞれ対応する複数のブロック対に分割すると共に、前記分割したブロック対毎に、該ブロック対の電気信号のレベルが焦点検出に適したレベルになると、前記電気信号を読み出すように制御する制御手段と、
前記ブロック対毎に読み出された電気信号を記憶する、前記複数の分割パターンにそれぞれ対応した複数のフレームメモリと、
前記複数のフレームメモリに記憶された電気信号の内、前記選択手段により選択された測距点に対応するブロック対の電気信号の位相差に基づいて、前記撮影レンズの焦点状態を検出する焦点検出手段と
を有することを特徴とする焦点検出装置。
【請求項２】
撮影レンズの異なる射出瞳領域を通過した被写体からの一対の光束の位相差に基づいて前記撮影レンズの焦点状態を検出する焦点検出装置であって、
前記被写体からの一対の光束を、少なくとも１対のラインセンサによりそれぞれ光電変換して、電気信号を出力する光電変換手段と、
予め設定された複数の測距点のいずれかを選択する選択手段と、
前記少なくとも１対のラインセンサを、複数の異なる分割パターンで、前記複数の測距点のいずれかに対応する複数のブロック対に分割すると共に、前記分割したブロック対毎に、該ブロック対の電気信号のレベルが焦点検出に適したレベルになると、前記電気信号を読み出すように制御する制御手段と、
前記ブロック対毎に読み出された電気信号を記憶する、前記複数の分割パターンにそれぞれ対応した複数のフレームメモリと、
前記複数のフレームメモリに記憶された電気信号の内、同じラインセンサを前記複数の分割パターンに分割した複数のブロックから読み出した電気信号から、１ラインセンサ分の電気信号を生成し、該生成した電気信号から、前記複数のブロック対が対応していない、前記複数の測距点以外の測距点に対応する電気信号の範囲を設定する生成手段と、
前記選択手段により選択された測距点に対応するブロック対または範囲の電気信号の位相差に基づいて、前記撮影レンズの焦点状態を検出する焦点検出手段と
を有することを特徴とする焦点検出装置。
【請求項３】
前記制御手段は、各ブロック対の電気信号の最大信号と最小信号との差が予め設定された値よりも大きくなった場合、及び、前記最小信号が予め設定された値よりも大きくなった場合に、前記ブロック対の電気信号のレベルが焦点検出に適したレベルになったと判断することを特徴とする請求項１または２に記載の焦点検出装置。
【請求項４】
前記複数の異なる分割パターンは、前記複数の分割パターンの間で分割の境界が互いに異なることを特徴とする請求項２に記載の焦点検出装置。
【請求項５】
前記生成手段は、前記分割の境界を異ならせたことにより一部重複したブロックの領域から出力された電気信号のレベルが同一レベルとなるようにレベル調整を行ってから、１ラインセンサ分の電気信号を生成することを特徴とする請求項４に記載の焦点検出装置。
【請求項６】
撮影レンズの異なる射出瞳領域を通過した被写体からの一対の光束の位相差に基づいて前記撮影レンズの焦点状態を検出する焦点検出方法であって、
撮像手段により、前記被写体からの一対の光束を、少なくとも１対のラインセンサによりそれぞれ光電変換して、電気信号を出力する光電変換工程と、
選択手段により、予め設定された複数の測距点のいずれかを選択する選択工程と、
制御手段により、前記少なくとも１対のラインセンサを、複数の異なる分割パターンで、前記複数の測距点にそれぞれ対応する複数のブロック対に分割すると共に、前記分割したブロック対毎に、該ブロック対の電気信号のレベルが焦点検出に適したレベルになると、前記電気信号を読み出すように制御する制御工程と、
前記ブロック対毎に読み出された電気信号を、前記複数の分割パターンにそれぞれ対応した複数のフレームメモリに記憶する記憶工程と、
焦点検出手段により、前記複数のフレームメモリに記憶された電気信号の内、前記選択工程で選択された測距点に対応するブロック対の電気信号の位相差に基づいて、前記撮影レンズの焦点状態を検出する焦点検出工程と
を有することを特徴とする焦点検出方法。
【請求項７】
撮影レンズの異なる射出瞳領域を通過した被写体からの一対の光束の位相差に基づいて前記撮影レンズの焦点状態を検出する焦点検出方法であって、
撮像手段により、前記被写体からの一対の光束を、少なくとも１対のラインセンサによりそれぞれ光電変換して、電気信号を出力する光電変換工程と、
選択手段により、予め設定された複数の測距点のいずれかを選択する選択工程と、
制御手段により、前記少なくとも１対のラインセンサを、複数の異なる分割パターンで、前記複数の測距点のいずれかに対応する複数のブロック対に分割すると共に、前記分割したブロック対毎に、該ブロック対の電気信号のレベルが焦点検出に適したレベルになると、前記電気信号を読み出すように制御する制御工程と、
前記ブロック対毎に読み出された電気信号を、前記複数の分割パターンにそれぞれ対応した複数のフレームメモリに記憶する記憶工程と、
生成手段により、前記複数のフレームメモリに記憶された電気信号の内、同じラインセンサを前記複数の分割パターンに分割した複数のブロックから読み出した電気信号から、１ラインセンサ分の電気信号を生成し、該生成した電気信号から、前記複数のブロック対が対応していない、前記複数の測距点以外の測距点に対応する電気信号の範囲を設定する生成工程と、
焦点検出手段により、前記選択工程で選択された測距点に対応するブロック対または範囲の電気信号の位相差に基づいて、前記撮影レンズの焦点状態を検出する焦点検出工程と
を有することを特徴とする焦点検出方法。